(57)【要約】【課題】本発明の課題は、デジタルカメラにおいてフラッシュメモリに対する処理負担を分散させて、各動作モードに対する影響を軽減し、各動作モードの処理速度を高速化することである。【解決手段】ＣＰＵ１０は、電源オフ時も機能するメモリＩ／Ｏ１６から入力されるメモリ着脱検出信号に基づいてメモリカードの着脱情報を生成し、装着されているメモリカードＡ５及び（又は）メモリカードＢ６のメモリカード管理情報を生成してＲＡＭ１１に記憶し、電源オフから再度電源オンされた時に、ＲＡＭ１１内に電源オフ時のメモリカード管理情報が記憶されていることを確認すると、装着されているメモリカードＡ５及び（又は）メモリカードＢ６のメモリカード管理情報を生成し、その電源オフ時にＲＡＭ１１に記憶したメモリカード管理情報と比較して、装着されているメモリカードＡ５及び（又は）メモリカードＢ６が、電源オフ時と同じものか否かを確認する。【選択図】　　　　　図１
2004007319.tif 000002
【特許請求の範囲】
【請求項１】
電源のオフ操作を検出する操作検出手段と、
前記オフ操作が検出された際に、撮影画像を記録する記録媒体の使用状態を管理する管理情報を生成する管理情報生成手段と、
前記電源がオフされている状態で前記管理情報を記憶保持する管理情報記憶手段と、を備えたことを特徴とする撮影装置。
【請求項２】
電池を着脱自在に収納する電池収納部と、前記電池収納部から前記電池の着脱時に開閉される扉部を備え、前記操作検出手段が前記扉部の開閉操作を検出することにより、前記オフ操作の検出を行うことを特徴とする請求項１記載の撮影装置。
【請求項３】
前記電源のオン／オフ操作する電源用スイッチを備え、前記操作検出手段が前記電源用スイッチのオフ操作を検出することにより、前記オフ操作の検出を行うことを特徴とする請求項１又は２に記載の撮影装置。
【請求項４】
前記管理情報生成手段が前記電源オン操作された際に管理情報を生成し、
前記管理情報と前記管理情報記憶手段が記憶している電源オフ操作の際の管理情報とを比較する管理情報判定手段と、
前記管理情報判定手段により管理情報が一致すると判断した場合には前記管理情報記憶手段が前記電源オン操作の際に生成された管理情報を記憶保持するよう記憶内容を更新する管理情報記憶制御手段を備えたことを特徴とする請求項３に記載の撮影装置。
【請求項５】
前記記録媒体を着脱自在に収納する記録媒体収納部と、前記記録媒体収納部からの記録媒体の着脱を検出する記録媒体検出手段を備え、
前記管理情報生成手段は、前記記録媒体検出手段により検出される記録媒体の着脱に基づいて着脱情報を生成し、前記管理情報記憶手段は、前記電源がオフされている状態で当該着脱情報を記憶保持することを特徴とする請求項１から４の何れか一項に記載の撮影装置。
【請求項６】
前記記録媒体収納部が複数の記録媒体を収納可能であることを特徴とする請求項５に記載の撮影装置。
【請求項７】
前記記録媒体収納部から前記記録媒体の着脱時に開閉される扉部を備え、前記記録媒体検出手段が前記扉部の開閉操作を検出することにより、前記記録媒体の着脱を検出することを特徴とする請求項５又は６に記載の撮影装置。
【請求項８】
前記扉部が、電池を着脱自在に収納する電池収納部から電池を着脱する時に開閉される扉部として兼用されていることを特徴とする請求項７に記載の撮影装置。
【請求項９】
前記撮影装置の撮影処理に関わる異常状態を検出する異常検出手段と、
前記異常検出手段により異常状態が検出された際に前記撮影処理を中断し、当該撮影処理に利用していた記録媒体について前記管理情報記憶手段が記憶保持していた管理情報を無効にする異常処理手段を備えたことを特徴とする請求項１から８の何れか一項に記載の撮影装置。
【発明の詳細な説明】
【０００１】
【発明の属する技術分野】
本発明は、撮影装置に関する。
【０００２】
【従来の技術】
近時、デジタルカメラは、撮影結果をその場で確認でき、メモリカードに記録した画像データを自宅のパーソナルコンピュータ等で簡単に印刷できるため、急速に普及している。このため、デジタルカメラに対するユーザーの要望が多様化し、デジタルカメラメーカーでは、撮影機能の高機能化や撮影機能以外の付加機能を追加して、競合メーカーと差別化を図る傾向にあり、高機能化と多機能化の進展が加速している。
【０００３】
【発明が解決しようとする課題】
しかしながら、このような従来のデジタルカメラにあっては、高機能化と多機能化を進展させるためには、制御系に対する要求性能も高くなり、制御系の中枢をなすＣＰＵ（Ｃｅｎｔｒａｌ　Ｐｒｏｃｅｓｓｉｎｇ　Ｕｎｉｔ）やメモリに対する処理負担も増大する傾向にある。
【０００４】
また、デジタルカメラの高機能化と多機能化を望むユーザーは、その操作性も重視するため、処理負担が重くなったために、撮影が可能になるまでの待ち時間や、撮影後のデータ書き込み時間が長くなって、撮影機会を逃すような事態は好ましくない。
【０００５】
例えば、デジタルカメラにおいて画像データ記録用のメモリカードとして多く利用されているフラッシュメモリは、その内部メモリ空間の管理手順（初期化手順、データ書き込み手順、データ消去手順、データ書き換え手順）が煩雑であり、デジタルカメラの各動作モードにおいて処理速度を遅らせる大きな要因になっていた。
【０００６】
本発明の課題は、デジタルカメラにおいてフラッシュメモリ等の記録媒体に対する処理負担を分散させて、各動作モードに対する影響を軽減し、各動作モードの処理速度を高速化することである。
【０００７】
【課題を解決するための手段】
上記課題を解決するため、請求項１記載の発明は、
電源のオフ操作を検出する操作検出手段と、
前記オフ操作が検出された際に、撮影画像を記録する記録媒体の使用状態を管理する管理情報を生成する管理情報生成手段と、
前記電源がオフされている状態で前記管理情報を記憶保持する管理情報記憶手段と、を備えたことを特徴とことを特徴としている。
【０００８】
この請求項１記載の発明によれば、
操作検出手段が電源のオフ操作を検出すると、管理情報生成手段が前記オフ操作が検出された際に、撮影画像を記録する記録媒体の使用状態を管理する管理情報を生成し、管理情報記憶手段が前記電源がオフされている状態で前記管理情報を記憶保持する。
【０００９】
したがって、電源オフから再度電源オンされた時、電源オフ時に記憶した管理情報を利用して記録媒体の装着状態、使用状態を直ちに把握でき、電源オン時の撮影開始までの処理時間を短縮できる。
【００１０】
また、請求項２記載の発明は、請求項１記載の撮影装置において、電池を着脱自在に収納する電池収納部と、前記電池収納部から前記電池の着脱時に開閉される扉部を備え、前記操作検出手段が前記扉部の開閉操作を検出することにより、前記オフ操作の検出を行うようにしてもよい。
【００１１】
この請求項２記載の発明によれば、
電池を着脱自在に収納する電池収納部と、前記電池収納部から前記電池の着脱時に開閉される扉部を備え、前記操作検出手段が前記扉部の開閉操作を検出することにより、前記オフ操作の検出を行うことにより、電池の着脱時にも記録媒体の管理情報を利用して記録媒体の装着状態、使用状態を直ちに把握できる。
【００１２】
また、請求項３記載の発明は、請求項１又は２記載の撮影装置において、前記電源のオン／オフ操作する電源用スイッチを備え、前記操作検出手段が前記電源用スイッチのオフ操作を検出することにより、前記オフ操作の検出を行うようにしてもよい。
【００１３】
この請求項３記載の発明によれば、
前記電源のオン／オフ操作する電源用スイッチを備え、前記操作検出手段が前記電源用スイッチのオフ操作を検出して、前記オフ操作の検出を行うことにより、電源用スイッチのオン／オフ操作時にも記録媒体の管理情報を利用して記録媒体の装着状態、使用状態を直ちに把握できる。
【００１４】
また、請求項４記載の発明は、請求項３記載の撮影装置において、前記管理情報生成手段が前記電源オン操作された際に管理情報を生成し、前記管理情報と前記管理情報記憶手段が記憶している電源オフ操作の際の管理情報とを比較する管理情報判定手段と、前記管理情報判定手段により管理情報が一致すると判断した場合には前記管理情報記憶手段が前記電源オン操作の際に生成された管理情報を記憶保持するよう記憶内容を更新する管理情報記憶制御手段を備えるようにしてもよい。
【００１５】
この請求項４記載の発明によれば、
前記管理情報生成手段が前記電源オン操作された際に管理情報を生成し、前記管理情報と前記管理情報記憶手段が記憶している電源オフ操作の際の管理情報とを比較する管理情報判定手段と、前記管理情報判定手段により管理情報が一致すると判断した場合には前記管理情報記憶手段が前記電源オン操作の際に生成された管理情報を記憶保持するよう記憶内容を更新する管理情報記憶制御手段を備えることにより、電源オフから再度電源がオンされた時に、装着された記録媒体が変更されても、直ちにその状態を把握して、その変更された記録媒体を使用可能に移行するまでの時間を短縮できる。
【００１６】
また、請求項５記載の発明は、請求項１から４の何れか一項に記載の撮影装置において、前記記録媒体を着脱自在に収納する記録媒体収納部と、前記記録媒体収納部からの記録媒体の着脱を検出する記録媒体検出手段を備え、
前記管理情報生成手段は、前記記録媒体検出手段により検出される記録媒体の着脱に基づいて着脱情報を生成し、前記管理情報記憶手段は、前記電源がオフされている状態で当該着脱情報を記憶保持するようにしてもよい。
【００１７】
この請求項５記載の発明によれば、
前記記録媒体を着脱自在に収納する記録媒体収納部と、前記記録媒体収納部からの記録媒体の着脱を検出する記録媒体検出手段を備え、前記管理情報生成手段は、前記記録媒体検出手段により検出される記録媒体の着脱に基づいて着脱情報を生成し、前記管理情報記憶手段は、前記電源がオフされている状態で当該着脱情報を記憶保持することにより、電源オン／オフ時にも記録媒体の装着状態を確実に検出でき、各記録媒体の管理処理を確実に実行でき、撮影装置の信頼性を向上できる。
【００１８】
また、請求項６記載の発明は、請求項５記載の撮影装置において、前記記録媒体収納部が複数の記録媒体を収納可能にしてもよい。
【００１９】
この請求項６記載の発明によれば、
前記記録媒体収納部が複数の記録媒体を収納可能にすることにより、電源オン／オフ時にも複数の記録媒体の装着状態を確実に検出でき、複数の記録媒体の管理処理を確実に実行できる。
【００２０】
また、請求項７記載の発明は、請求項５又は６に記載の撮影装置において、前記記録媒体収納部から前記記録媒体の着脱時に開閉される扉部を備え、前記記録媒体検出手段が前記扉部の開閉操作を検出することにより、前記記録媒体の着脱を検出するようにしてもよい。
【００２１】
この請求項７記載の発明によれば、
前記記録媒体収納部から前記記録媒体の着脱時に開閉される扉部を備え、前記記録媒体検出手段が前記扉部の開閉操作を検出して、前記記録媒体の着脱を検出することにより、前記記録媒体収納部の扉開閉時にも記録媒体の管理情報を利用して記録媒体の装着状態、使用状態を直ちに把握できる。
【００２２】
また、請求項８記載の発明は、請求項７に記載の撮影装置において、前記扉部が、電池を着脱自在に収納する電池収納部から電池を着脱する時に開閉される扉部として兼用されているものでもよい。
【００２３】
この請求項８記載の発明によれば、
前記扉部が、電池を着脱自在に収納する電池収納部から電池を着脱する時に開閉される扉部として兼用されていることにより、記録媒体及び電池の着脱を確実に検出して、扉部の開閉に伴う電源オン／オフ時にも記録媒体の管理処理を確実に実行できる。
【００２４】
また、請求項９記載の発明は、請求項１から８の何れか一項に記載の撮影装置において、前記撮影装置の撮影処理に関わる異常状態を検出する異常検出手段と、
前記異常検出手段により異常状態が検出された際に前記撮影処理を中断し、当該撮影処理に利用していた記録媒体について前記管理情報記憶手段が記憶保持していた管理情報を無効にする異常処理手段を備えるようにしてもよい。
【００２５】
この請求項９記載の発明によれば、
前記撮影装置の撮影処理に関わる異常状態を検出する異常検出手段と、前記異常検出手段により異常状態が検出された際に前記撮影処理を中断し、当該撮影処理に利用していた記録媒体について前記管理情報記憶手段が記憶保持していた管理情報を無効にする異常処理手段を備えることにより、異常中断から再度電源オンされた時、装着されている各記録媒体の初期化処理やフォーマット処理等に自動的に移行でき、異常中断時のユーザーの操作負担を軽減できる。
【００２６】
【発明の実施の形態】
以下、図を参照して本発明の実施の形態を詳細に説明する。
図１〜図３は、本発明を適用したデジタルカメラの一実施の形態を示す図である。
まず、構成を説明する。
図１において、デジタルカメラ１００は、レンズユニット１、撮像部２、画像信号処理部３、内蔵メモリ４、メモリカードＡ５、メモリカードＢ６、モニタ駆動回路７、液晶モニタ８、Ｔ／Ｇ部９、ＣＰＵ１０、ＲＡＭ１１、ＲＯＭ１２、キーマトリックス１３、二次電池１４、電源スイッチＳＷ１及び扉開閉スイッチＳＷ２により構成されている。
【００２７】
また、デジタルカメラ１００は、図２に示す外観斜視図のように、筐体１００ａの前面にレンズユニット１等を備え、更に、筐体１００ａの底面には、形状が異なる２種類のメモリカードＡ、メモリカードＢを同時に収納可能なメモリスロット２０と、二次電池１４を収納する電池スロット３０と、メモリカードＡ、メモリカードＢ及び二次電池１４の着脱時に開閉されるスロット開閉扉１００ｂとを備える。
【００２８】
ユーザーが、図２のスロット開閉扉１００ｂを開扉することにより、メモリスロット２０に対するメモリカードＡ、メモリカードＢの着脱と、電池スロット３０に対する二次電池１４の着脱とが可能になる。但し、スロット開閉扉１００ｂが開扉されたとき、二次電池１４は、電池スロット３０内部に形成された電源端子部（図示せず）との電気的接続状態が開放されるため電源オフ状態になる。
【００２９】
また、図２に示すメモリカードＡの端子部Ａ１と、メモリカードＢの端子部Ｂ１は、メモリスロット２０に装着された際に、そのメモリスロット２０内の装着方向奥部において各端子部Ａ１及びＢ１の各対向位置に形成された各接続端子（図示せず）と電気的に接続される。
これらメモリカードＡ、メモリカードＢの着脱状態は、後述するメモリカードＩ／Ｏ１６により検出され、その検出信号がＣＰＵ１０に出力される。また、メモリカードＡ及びメモリカードＢは、メモリカードＩ／Ｏ１６を介して、ＣＰＵ１０により画像データの記録、読み出し、消去が行われる。
【００３０】
レンズユニット１は、被写体の光学像を取り込むレンズ群からなり、レンズ群を透過した光束の光量を調節すると共に露光の調節を行う絞り、レンズユニット１の光路上において結像された被写体の光学像を、撮像部２内の図示しないＣＣＤ（Ｃｈａｒｇｅ　Ｃｏｕｐｌｅｄ　Ｄｅｖｉｃｅ）により光電変換し、光電変換した画像信号（アナログ信号）を撮像信号処理部３に出力する。撮像部２は、Ｔ／Ｇ部９から入力されるタイミング信号に同期して、ＣＣＤの光電変換タイミングを制御する。
【００３１】
画像信号処理部３は、撮像部２から入力された画像信号に感度補正等の各種画像処理を行って所定の画像信号を生成し、生成した画像信号をアナログ信号からデジタル信号に変換し、ＣＰＵ１０からの画像表示指示により、デジタル変換した画像データをモニタ駆動回路７に出力するとともに、ＣＰＵ１０からの画像記録指示により、デジタル変換した画像データを内蔵メモリ４に展開しながら所定の圧縮方式により圧縮して、メモリカードＡ５、Ｂ６に記録する。
なお、画像データをメモリカードＡ５、Ｂ６のどちらかに記録するかは、ユーザーの指示により適宜選択可能である。
【００３２】
また、画像信号処理部３は、ＣＰＵ１０からの画像読み出し指示により、メモリカードＡ５、Ｂ６から指示された画像の圧縮データを読み出し、内蔵メモリ４を利用して伸張し、伸張した画像データをモニタ駆動回路７に出力して、読み出した画像を表示させる。
【００３３】
内蔵メモリ４は、画像信号処理部３から入力された処理中の画像データを一時的に記憶する。
メモリカードＡ５及びメモリカードＢ６は、フラッシュメモリ等の半導体メモリからなる画像記録用メモリであり、画像信号処理部３により圧縮処理された画像データが記録される。メモリカードＡ５及びメモリカードＢ６は、ユーザーにより着脱可能であり、その内部メモリ空間に対する初期化、フォーマット、画像データの記録動作及び消去動作等がＣＰＵ１０により制御される。
【００３４】
モニタ駆動回路７は、ＣＰＵ１０から入力される各種表示指示に応じて、画像信号処理部３から入力される画像データや、撮影モードや各種設定に必要な操作画面データを画像表示信号に変換し、この画像表示信号により液晶モニタ８を駆動制御して撮影画像や操作画面等を表示させる。
【００３５】
液晶モニタ８は、カラー液晶パネルにより構成され、モニタ駆動回路７により駆動制御され、撮影画像や操作画面等を表示する。
【００３６】
ＴＧ（タイミングジェネレータ）部９は、ＣＰＵ１０からの指示により所定のタイミング信号を発生して撮像部２に出力する。
【００３７】
ＣＰＵ（Ｃｅｎｔｒａｌ　Ｐｒｏｃｅｓｓｉｎｇ　Ｕｎｉｔ）１０は、ＲＯＭ１２に記憶されているデジタルカメラ１００としての各種機能に関る各種アプリケーションプログラムをＲＡＭ１１内のワークエリアに読み出し、当該プログラムに従って撮影処理、メモリカード処理等の各種処理を実行し、処理結果を液晶モニタ８に表示させる。
【００３８】
また、ＣＰＵ１０は、メモリカードＡ５及びメモリカードＢ６の内部メモリ空間に対する初期化、フォーマット、画像データの記録動作及び消去動作等を制御するとともに、メモリスロット２０に対するメモリカードＡ５及びメモリカードＢ６の着脱情報、内部メモリ空間の初期化済み情報、フォーマット済み情報及び使用ブロック領域や空きブロック領域を示すＦＡＴ（Ｆｉｌｅ　Ａｌｌｏｃａｔｉｏｎ　Ｔａｂｌｅｓ）情報等のメモリカード管理情報を生成してＲＡＭ１１に記憶する。
【００３９】
また、ＣＰＵ１０は、電源オフ時（電源スイッチＳＷ１オフ操作時、又は図２のスロット開閉扉１００ｂ開扉時等を含む）も機能するメモリＩ／Ｏ１６から入力されるメモリ着脱検出信号に基づいてメモリカードの着脱情報を生成するとともに、装着されているメモリカードＡ５及び（又は）メモリカードＢ６のメモリカード管理情報を生成してＲＡＭ１１に記憶する。
【００４０】
さらに、ＣＰＵ１０は、上記電源オフから再度電源オンされた時（電源スイッチＳＷ１オン操作時、又は図２のスロット開閉扉１００ｂ閉扉時等を含む）に、ＲＡＭ１１内に電源オフ時のメモリカード管理情報が記憶されていることを確認すると、装着されているメモリカードＡ５及び（又は）メモリカードＢ６のメモリカード管理情報を生成し、その電源オフ時にＲＡＭ１１に記憶したメモリカード管理情報と比較して、装着されているメモリカードＡ５及び（又は）メモリカードＢ６が、電源オフ時と同じものか否かを確認する。
【００４１】
そして、ＣＰＵ１０は、電源オフ時のメモリカード管理情報と、電源オン後のメモリカード管理情報が一致した場合は、電源オフ時にＲＡＭ１１に記憶したメモリカード管理情報を保持し、このメモリカード管理情報に基づいてメモリカードＡ５及び（又は）メモリカードＢ６に対する制御処理を実行する。また、ＣＰＵ１０は、電源オフ時のメモリカード管理情報と、電源オン後のメモリカード管理情報が異なる場合は、電源オン時に生成したメモリカード管理情報でＲＡＭ１１内のメモリカード管理情報エリア１１ｂを更新し、この電源オン後のメモリカード管理情報に基づいてメモリカードＡ５及び（又は）メモリカードＢ６に対する制御処理を実行する。
【００４２】
また、ＣＰＵ１０は、デジタルカメラ１００が撮影処理中、あるいは、その他の処理中に処理異常を検出し、処理異常を検出すると処理を中断して、メモリスロット２０に装着されて利用中のメモリカードＡ５及び（又は）メモリカードＢ６についてＲＡＭ１１に記憶されているメモリカード管理情報が無効であることを示す無効フラグを設定してＲＡＭ１１に記憶する。
【００４３】
そして、ＣＰＵ１０は、異常中断から再度電源オンされた時（電源スイッチＳＷ１オン操作時、又は図２のスロット開閉扉１００ｂ閉扉時等を含む）に、ＲＡＭ１１内に無効フラグが記憶されていることを確認すると、装着されているメモリカードＡ５及び（又は）メモリカードＢ６の初期化処理とフォーマット処理等を実行する。
【００４４】
ＣＰＵ１０は、管理情報生成手段、管理情報判定手段、管理情報記憶制御手段、異常検出手段及び異常処理手段としての機能を有する。
【００４５】
ＲＡＭ（Ｒａｎｄｏｍ　Ａｃｃｅｓｓ　Ｍｅｍｏｒｙ）１１は、不揮発性の半導体メモリであり、図３に示すように、ＣＰＵ１０が処理中のプログラム、データ、メモリカード管理情報等を一時的に記憶するワークエリア１１ａと、デジタルカメラ１００の電源がオフされている間、メモリカード管理情報を保持するメモリカード管理情報エリア１１ｂと、デジタルカメラ１００の異常中断時に無効フラグを記憶する無効フラグエリア１１ｃとを有する。
【００４６】
本実施の形態では、デジタルカメラ１００の電源がオフされる際に、ＣＰＵ１０によりオフ直前に生成されたメモリカード管理情報がＲＡＭ１１内のメモリカード管理情報エリア１１ｂに記憶されて保持されるとともに、デジタルカメラ１００の異常中断時に、ＣＰＵ１０により設定された無効フラグがＲＡＭ１１内の無効フラグエリア１１ｃに記憶されて保持される。ＲＡＭ１１は、管理情報記憶手段としての機能を有する。
【００４７】
ＲＯＭ（Ｒｅａｄ　Ｏｎｌｙ　Ｍｅｍｏｒｙ）１２は、プログラマブルな半導体メモリであり、ＣＰＵ１０により実行されるデジタルカメラ１００としての各種機能に関る各種アプリケーションプログラムを記憶する。
【００４８】
キーマトリックス１３は、レリーズＳＷや、機能を切り替えるモードＳＷ、設定を選択するメニューＳＷ等、各種操作スイッチを備え、各スイッチが押下されると、その押下信号を生成してＣＰＵ１０に出力する。
【００４９】
二次電池１４は、繰り返し使用可能な充電池であり、図２の電池スロット３０に装着されて、スロット開閉扉１００ｂが閉扉されると、電池スロット３０内部に形成された電源端子部（図示せず）と電気的に接続される。二次電池１４の出力電圧は、図中の模式的に示す電源スイッチＳＷ１を介して電源回路１５に供給される。
【００５０】
電源回路１５は、二次電池１４から供給される電圧を、図１に示す各ブロックにおいて必要な電源電圧に変換して供給する機能を有する。
【００５１】
メモリカードＩ／Ｏ１６は、電源供給ラインに接続された大容量コンデンサにより電源オフ時（二次電池１４が外された時も含む）も、その動作が維持されており、メモリスロット２０に対するメモリカードＡ５及びメモリカードＢ６の着脱を検出して着脱検出信号をＣＰＵ１０に出力する着脱検出機能と、ＣＰＵ１０とメモリカードＡ５及びメモリカードＢ６との間で画像データの記録、読み出し、消去を実行するためのデータＩ／Ｏ機能とを有する。
メモリカードＩ／Ｏ１６は、記録媒体検出手段としての機能を有する。
【００５２】
電源スイッチＳＷ１は、ユーザーにより操作され、電源オン操作により二次電池１４の出力段を電源回路１５の入力段に接続し、電源オフ操作により二次電池１４の出力段と電源回路１５の入力段との接続を開放する。
【００５３】
扉開閉スイッチＳＷ２は、ユーザーによるスロット開閉扉１００ｂの開閉操作に連動し、スロット開閉扉１００ｂが閉扉されるとオン状態になり、スロット開閉扉１００ｂが開扉されるとオフ状態になる。
電源スイッチＳＷ１及び扉開閉スイッチＳＷ２は、操作検出手段としての機能を有する。
【００５４】
次に、本実施の形態の動作を説明する。
まず、ＣＰＵ１０では、通常のデジタルカメラ１００の機能として、キーマトリックス１３から入力される操作信号に応じて、ＲＯＭ１２に記憶されているデジタルカメラ１００としての各種機能に関る各種アプリケーションプログラムがＲＡＭ１１内のワークエリアに読み出され、当該プログラムに従って撮影処理、メモリカード処理等の各種処理が実行され、処理結果が液晶モニタ８に表示される。
【００５５】
また、ＣＰＵ１０では、電源オフ時（電源スイッチＳＷ１のオフ操作時、又は図２のスロット開閉扉１００ｂ開扉時等を含む）も機能するメモリＩ／Ｏ１６から入力されるメモリ着脱検出信号に基づいてメモリカードの着脱情報が生成されるとともに、装着されているメモリカードＡ５及び（又は）メモリカードＢ６のメモリカード管理情報が生成されてＲＡＭ１１に記憶される。
【００５６】
さらに、ＣＰＵ１０では、上記電源オフから再度電源オンされた時（電源スイッチＳＷ１オン操作時、又は図２のスロット開閉扉１００ｂ閉扉時等を含む）に、ＲＡＭ１１内に電源オフ時のメモリカード管理情報が記憶されていることが確認されると、装着されているメモリカードＡ５及び（又は）メモリカードＢ６のメモリカード管理情報が生成され、その電源オフ時にＲＡＭ１１に記憶されたメモリカード管理情報と比較されて、装着されているメモリカードＡ５及び（又は）メモリカードＢ６が、電源オフ時と同じものか否かが確認される。
【００５７】
そして、ＣＰＵ１０では、電源オフ時のメモリカード管理情報と、電源オン後のメモリカード管理情報が一致した場合は、電源オフ時にＲＡＭ１１に記憶されたメモリカード管理情報が保持され、このメモリカード管理情報に基づいてメモリカードＡ５及び（又は）メモリカードＢ６に対する制御処理が実行される。
【００５８】
また、ＣＰＵ１０では、電源オフ時のメモリカード管理情報と、電源オン後のメモリカード管理情報が異なる場合は、電源オン時に生成されたメモリカード管理情報でＲＡＭ１１内のメモリカード管理情報エリア１１ｂが更新され、この電源オン後のメモリカード管理情報に基づいてメモリカードＡ５及び（又は）メモリカードＢ６に対する制御処理が実行される。
【００５９】
また、ＣＰＵ１０では、デジタルカメラ１００が撮影処理中、あるいは、その他の処理中に処理異常が検出されると、その処理が中断されて、メモリスロット２０に装着されて利用中のメモリカードＡ５及び（又は）メモリカードＢ６についてＲＡＭ１１に記憶されているメモリカード管理情報が無効であることを示す無効フラグが設定されてＲＡＭ１１に記憶される。
【００６０】
そして、ＣＰＵ１０では、異常中断から再度電源オンされた時（電源スイッチＳＷ１オン操作時、又は図２のスロット開閉扉１００ｂ閉扉時等を含む）に、ＲＡＭ１１内に無効フラグが記憶されていることが確認されると、装着されているメモリカードＡ５及び（又は）メモリカードＢ６の初期化処理とフォーマット処理等が実行される。
【００６１】
以上のように、本実施の形態のデジタルカメラ１００によれば、２種類のメモリカードＡ５及びメモリカードＢ６に対して、電源オフ時（電源スイッチＳＷ１のオフ操作時、又は図２のスロット開閉扉１００ｂ開扉時等を含む）に、装着されているメモリカードＡ５及び（又は）メモリカードＢ６のメモリカード管理情報が生成されてＲＡＭ１１に記憶され、再度電源がオンされた時（電源スイッチＳＷ１オン操作時、又は図２のスロット開閉扉１００ｂ閉扉時等を含む）に、再度メモリカード管理情報が生成されて、電源オフ時のメモリカード管理情報と比較され、同一であることが確認されると、電源オフ時にＲＡＭ１１に記憶されたメモリカード管理情報に従ってメモリカードＡ５及びメモリカードＢ６の制御処理が実行される。
【００６２】
したがって、電源オフから再度電源オンされた時、装着されているメモリカードＡ５及びメモリカードＢ６の制御処理の立ち上がり時間を短縮でき、撮影準備が完了するまでの時間を短縮でき、メモリカードの処理に関わる操作性の劣化を改善でき、シャッターチャンス等のユーザーの使い勝手を改善できる。その結果、デジタルカメラの高機能化と操作性とをともに向上できる。
【００６３】
また、本実施の形態のデジタルカメラ１００によれば、撮影処理中、あるいは、その他の処理中に処理異常が検出されると、その処理が中断されて、メモリスロット２０に装着されて利用中のメモリカードＡ５及び（又は）メモリカードＢ６についてＲＡＭ１１に記憶されているメモリカード管理情報が無効であることを示す無効フラグがＲＡＭ１１に記憶され、異常中断から再度電源オンされた時（電源スイッチＳＷ１オン操作時、又は図２のスロット開閉扉１００ｂ閉扉時等を含む）に、装着されているメモリカードＡ５及び（又は）メモリカードＢ６の初期化処理とフォーマット処理等が実行される。
【００６４】
したがって、異常中断から再度電源オンされた時、装着されているメモリカードＡ５及び（又は）メモリカードＢ６の初期化処理とフォーマット処理等が自動的に実行されるため、異常中断時のユーザーの操作負担を軽減できる。
【００６５】
また、本実施の形態のデジタルカメラ１００によれば、電源オフ時（二次電池１４が外された時も含む）も動作が維持されて、メモリスロット２０に対するメモリカードＡ５及びメモリカードＢ６の着脱を検出して着脱検出信号をＣＰＵ１０に出力する着脱検出機能を備えたメモリカードＩ／Ｏ１６を実装したため、電源オン／オフ時にもメモリカードＡ５及びメモリカードＢ６の装着状態を確実に検出でき、メモリカード管理情報の生成処理、比較処理及び更新処理を確実に実行でき、デジタルカメラ１００の信頼性を向上できる。
【００６６】
なお、上記実施の形態のデジタルカメラ１００では、２種類のメモリカードＡ５とメモリカードＢ５とを装着する場合を示したが、メモリカードの装着数やその種類等を特に限定するものではない。
【００６７】
また、本発明は、上記実施の形態に示したデジタルカメラ１００に限るものではなく、少なくともメモリカード及び電池を備えるビデオカメラ等の撮影装置にも適用可能である。
【００６８】
【発明の効果】
請求項１記載の発明によれば、電源オフから再度電源オンされた時、電源オフ時に記憶した管理情報を利用して記録媒体の装着状態、使用状態を直ちに把握でき、電源オン時の撮影開始までの処理時間を短縮できる。
【００６９】
請求項２記載の発明によれば、電池の着脱時にも記録媒体の管理情報を利用して記録媒体の装着状態、使用状態を直ちに把握できる。
【００７０】
請求項３記載の発明によれば、電源用スイッチのオン／オフ操作時にも記録媒体の管理情報を利用して記録媒体の装着状態、使用状態を直ちに把握できる。
【００７１】
請求項４記載の発明によれば、電源オフから再度電源がオンされた時に、装着された記録媒体が変更されても、直ちにその状態を把握して、その変更された記録媒体を使用可能に移行するまでの時間を短縮できる。
【００７２】
請求項５記載の発明によれば、電源オン／オフ時にも記録媒体の装着状態を確実に検出でき、各記録媒体の管理処理を確実に実行でき、撮影装置の信頼性を向上できる。
【００７３】
請求項６記載の発明によれば、電源オン／オフ時にも複数の記録媒体の装着状態を確実に検出でき、複数の記録媒体の管理処理を確実に実行できる。
【００７４】
請求項７記載の発明によれば、前記記録媒体収納部の扉開閉時にも記録媒体の管理情報を利用して記録媒体の装着状態、使用状態を直ちに把握できる。
【００７５】
請求項８記載の発明によれば、記録媒体及び電池の着脱を確実に検出して、扉部の開閉に伴う電源オン／オフ時にも記録媒体の管理処理を確実に実行できる。
【００７６】
請求項９記載の発明によれば、異常中断から再度電源オンされた時、装着されている各記録媒体の初期化処理やフォーマット処理等に自動的に移行でき、異常中断時のユーザーの操作負担を軽減できる。
【図面の簡単な説明】
【図１】本発明を適用した一実施の形態におけるデジタルカメラ１００の内部構成を示すブロック図である。
【図２】図１のデジタルカメラ１００の外観斜視図である。
【図３】図１のＲＡＭ１１内のメモリ構成を示す図である。
【符号の説明】
１　　レンズユニット
２　　撮像部
３　　画像信号処理部
４　　内蔵メモリ
５　　メモリカードＡ
６　　メモリカードＢ
７　　モニタ駆動回路
８　　液晶モニタ
９　　Ｔ／Ｇ部
１０　　ＣＰＵ
１１　　ＲＡＭ
１２　　ＲＯＭ
１３　　キーマトリックス
１４　　二次電池
２０　　メモリスロット
３０　　電池スロット
ＳＷ１　電源スイッチ
ＳＷ２　扉開閉スイッチ
１００　デジタルカメラ
１００ａ　筐体
１００ｂ　スロット開閉扉
【図１】
2004007319.tif 000003
【図２】
2004007319.tif 000004
【図３】
2004007319.tif 000005